(57)【要約】    【構成】  有孔管１０はリブ付管１１のリブ１４とリブ１４との間に貫通孔２０を形成した管である。    【効果】  既存のリブ付管１１の剛性の低いリブ１４間に貫通孔２０を形成することにより、製造コストなどを抑えつつ、有孔管１０の強度を確保できる。この有孔管１０をたとえば砕石で埋め戻ししても、砕石がリブ１４にぶつかり、リブ１４間に侵入できないので、貫通孔２０を詰まらせず、有孔管１０の浸透性を長期間維持することができる。【選択図】  図１
2005207543.tif 000002
【特許請求の範囲】
【請求項１】
管壁の剛性が管軸方向および周方向の少なくとも一方に不連続な管において、前記管壁の剛性が低い位置に貫通孔を形成した、有孔管。
【請求項２】
前記管がリブ付管であり、リブの間の前記管壁に前記貫通孔を形成した、請求項１記載の有孔管。
【請求項３】
赤道線より下方の前記管壁だけに前記貫通孔を形成した、請求項１または２記載の有孔管。
【発明の詳細な説明】
【技術分野】
【０００１】
この発明は、有孔管に関し、特にたとえば、雨水浸透管、地下灌漑または浸透性舗装の集水管などに利用される有孔管に関する。
【背景技術】
【０００２】
管の管壁に貫通孔を形成すると、管の強度は低下するので、従来の一般的な有孔管では、貫通孔の数や位置などを制限することにより有孔管の強度低下を防止している。
【０００３】
また、従来の有孔管の他の一例である特許文献１の被覆層付き雨水浸透管では、有孔管の外周上に透水性の発泡熱可塑性樹脂層を形成し、孔内に透水性の熱可塑性樹脂発泡体を充填することにより、有孔管の強度を確保し、雨水浸透機能を維持している。
【特許文献１】特開２０００−２２０１９９号公報［Ｅ０３Ｆ  １／００、Ｂ２９Ｃ  ４４／００、Ｂ２９Ｋ  １０５：０４］
【発明の開示】
【発明が解決しようとする課題】
【０００４】
一般的な有孔管では、管の強度を維持するため、貫通孔の数や位置などを制限しなければならない。
【０００５】
また、特許文献１の従来技術では、有孔管の外周上および孔内に樹脂層を設ければ、有孔管とは別に樹脂層の材料を用意し、新たな製造工程や機械などを用いる必要があるので、雨水浸透管の材料コストおよび製造コストなどが嵩む。
【０００６】
この雨水浸透管を埋設して長期間使用すると、微細な砂利や砂などが樹脂層の孔を塞いだり、雨水とともに樹脂層内の孔に入って詰まらせたりするので、雨水浸透管の集水機能や排水機能を低下させてしまう。
【０００７】
それゆえに、この発明の主たる目的は、コストの上昇を抑えながら、有孔管の強度を確保し、かつ長期間浸透性を維持することができる、有孔管を提供することである。
【課題を解決するための手段】
【０００８】
請求項１の発明は、管壁の剛性が管軸方向および周方向の少なくとも一方に不連続な管において、管壁の剛性が低い位置に貫通孔を形成した、有孔管である。
【０００９】
請求項１の発明では、有孔管の管壁に孔を開けていない状態で管壁の剛性が不連続な管に関しては、管壁の剛性が高い位置で管全体の剛性を確保している。このため、管壁の剛性が低い位置に貫通孔を形成すれば、管全体の剛性の低下を抑えることができる。
【００１０】
請求項２の発明は、管がリブ付管であり、リブ間の管壁に貫通孔を形成した、請求項１記載の有孔管である。
【００１１】
請求項２の発明では、リブ付管のリブ位置の管壁の厚みは大きく、この管壁の剛性が高いので、この部分でリブ付管全体の強度を確保している。このため、管壁の肉厚の薄く管壁の剛性の低い位置、すなわち、リブとリブとの間に貫通孔を形成しても、この部分が管全体の強度へ寄与する割合は低いので、有孔管自体の強度低下を抑えることができる。
【００１２】
また、この有孔管には既存のリブ付管を用いることができるので、材料コストや製造コストなどを抑えることができる。
【００１３】
この有孔管の周りにたとえば、砕石などを配置して有孔管を地中に埋設すると、砕石は管壁のリブに当たり、リブ間の貫通孔と接触しにくい。このため、砕石がリブ間に入り有孔管の上側にある貫通孔を塞いだり、貫通孔を通り抜けて有孔管内に進入し下側の貫通孔を詰まらせたりしにくく、有孔管の浸透性を長期間維持することができる。
【００１４】
請求項３の発明は、赤道線より下方の管壁だけに貫通孔を形成した、請求項１または２記載の有孔管である。
【００１５】
請求項３の発明では、有孔管の管壁の下部、すなわち、赤道線より下方の管壁だけに貫通孔を形成する。この有孔管を、たとえば雨水浸透ますに接続し、地中に埋設すると、雨水浸透ますに集められた雨水などは雨水浸透ますから有孔管へ流入し、有孔管の下部の貫通孔から流れ出て土中へ浸透する。一方、有孔管の上部に貫通孔がなければ、貫通孔の周囲にある砕石の重力方向に貫通孔がないので、砕石が重力により貫通孔へ移動して貫通孔を塞いだり、貫通孔を通過して、管内に入り、有孔管の下部の貫通孔を詰まらせてしまったりすることはない。このため、長期間有孔管の浸透性を維持することができる。
【発明の効果】
【００１６】
この発明によれば、管壁の剛性の不連続な管を用い、その剛性の低い位置に貫通孔を設けると、有孔管のコストを抑え、かつ管全体の強度を確保できる。リブ付管のリブ間や管の下部に貫通孔を設ければ、長期間浸透性を維持できる。
【００１７】
この発明の上述の目的，その他の目的，特徴および利点は、図面を参照して行う以下の実施例の詳細な説明から一層明らかとなろう。
【発明を実施するための最良の形態】
【００１８】
図１（Ａ）および図１（Ｂ）に示すこの発明の一実施例である有孔管１０は塩化ビニル樹脂などのリブ付管１１を原管として用いる。このリブ付管１１は管軸１２に対して垂直方向の環状のリブ１４を有する。このリブ１４は互いに独立していて、管軸方向に一定間隔Ｐで配置される。リブ１４位置の管壁１６の厚みＳはリブ１４間の管壁１６の厚みＴより大きく、この管壁１６の厚みは軸方向に不連続に変化する。呼び径φ２００のリブ付管１１の場合、たとえばリブ１４位置の厚みＳは１４ｍｍであり、リブ１４間の厚みＴは２．４ｍｍである。また、管が持つ性質の１つである剛性とは物体の荷重に対する変形抵抗である（ＪＩＳ工業用語大辞典  第５版  ２００１／３／３０発行  財団法人日本規格協会編集）。剛性は断面積に依存するので、リブ付管１１の断面積が大きいリブ１４位置では剛性は高く、断面積が小さいリブ１４間では剛性は低く、したがって、図１実施例のリブ付管１１の管壁１６の剛性は軸方向に不連続に変化する。
【００１９】
リブ１４位置の厚みＳとリブ１４間の厚みＴとの比率Ｓ／Ｔについて、表１に示すように、たとえば呼び径φ１５０のリブ付管１１の比率Ｓ／Ｔは４．２であり、φ２００のＳ／Ｔは５．８であり、φ２５０のＳ／Ｔは６．６であり、φ３００のＳ／Ｔは７．１であり、φ３５０のＳ／Ｔは８．０であり、φ４００のＳ／Ｔは７．２であり、φ４５０のＳ／Ｔは７．３である。このように、有孔管１０の原管であるリブ付管１１の比率Ｓ／Ｔは２倍以上であり、下水道協会規格品として車道下埋設強度や負圧試験などを満足するため、下水道として使用可能な強度および性能を有する。
【００２０】
【表１】
2005207543.tif 000003
【００２１】
リブ１４間の管壁１６であって、管軸１２を通る鉛直線１８ａ上に２つの貫通孔２０ａおよび２０ｂを形成し、鉛直線１８ａに対してなす角α、たとえば６０度の位置に４つの貫通孔２０ｃ、２０ｄ、２０ｅおよび２０ｆを形成する。このため、有効管１０の上部Ｕ、すなわち管軸１２を通る水平線（赤道線）１８ｂの上方の管壁１６に３つの貫通孔２０ａ、２０ｃおよび２０ｆがあり、有効管１０の下部Ｌ、すなわち赤道線１８ｂの下方の管壁１６に３つの貫通孔２０ｂ、２０ｄおよび２０ｅがある。貫通孔２０の径Ｄはリブ１４間のピッチＰ、たとえば２５．４ｍｍより小さい。
【００２２】
図２に示すように、地中に掘削孔２２を形成し、掘削孔２２の底２２ａに砕石２４を敷き、雨水浸透ます２６を敷設する。有孔管１０の管軸１２を通る鉛直線１８ａ上の貫通孔２０ｂが下になるように有孔管１０を雨水浸透ます２６に接続し、これらの周りに砕石２４を入れて、その上から土２８を埋め戻す。
【００２３】
雨水浸透ます２６に集められた雨水は雨水浸透ます２６から有孔管１０へ流入し、有孔管１０の中を流れる間に管壁１６の貫通孔２０を通り、土中へ拡散する。
【００２４】
このように、リブ付管１１など軸方向に管壁１６の剛性が不連続な管では、管壁１６の剛性の小さいリブ１４間に貫通孔２０を設けても、管壁１６の剛性が大きいリブ１４位置で剛性が高く、管全体の強度を確保するため、貫通孔２０の個数などに制限なく管壁１６に貫通孔２０を形成することによる管全体の強度低下を抑えることができる。
【００２５】
また、リブ１４間の厚みＴに対するリブ１４位置の厚みＳが２倍以上であるリブ付管１１は車道下埋設強度や負圧試験など下水道協会規格品を満足し、下水道として使用可能な強度および性能を有するため、このリブ付管１１のリブ１４間に貫通孔２０を設けた有孔管１０も下水道に利用できると考える。
【００２６】
既存のリブ付管１１を用いることができるので、従来どおりにリブ付管１１を押し出し成形によって形成し冷却した後すぐに同じラインでドリルなどにより貫通孔２０を形成し有孔管１０を作成することができる。このため、新たな材料や製造工程などを準備する必要がなく、既存のものを用いることができるので、材料コストや製造コストを抑えることができる。
【００２７】
有孔管１０にリブ付管１１を用いると、図３に示すように、リブ１４が管壁１６の外周面１６ａから外側へ突出しているため、有孔管１０の周囲の砕石２４はリブ１４に当たり、リブ１４間の貫通孔２０と接触しにくい。このため、砕石２４が貫通孔２０を塞いだり、貫通孔２０から有孔管１０内に進入して、有孔管１０の下方にある貫通孔２０を詰まらせてしまったりせず、有孔管１０の浸透性を維持することができる。
【００２８】
難燃性の塩化ビニル樹脂を有孔管１０に用いることにより、火が出る恐れのあるような部分にも有孔管１０を使用できる。
【００２９】
なお、有孔管１０の管壁１６に各リブ１４間に６つの貫通孔２０を形成したが、必要な排水能力に合わせて貫通孔２０を形成する間隔や個数を変化させればよい。
【００３０】
図４（Ａ）〜図４（Ｃ）に示すこの発明の他の実施例である有孔管１０は図１に示す有孔管１０とほぼ同じであるが、貫通孔３０の配置が異なる。
【００３１】
図４（Ｂ）に示すように、有孔管１０の上部であって、有孔管１０の管軸１２を通る鉛直線１８ａからのなす角β、たとえば６０度に２つの貫通孔３０ａおよび３０ｂを形成し、鉛直線１８ａ上の下側に１つの貫通孔３０ｃを形成する。また、図４（Ｃ）に示すように、有孔管１０の下部であって、管軸１２を通る鉛直線１８ａからのなす角γ、たとえば６０度に２つの貫通孔３０ｄおよび３０ｅを形成し、鉛直線１８ａ上の上側に１つの貫通孔３０ｆを形成する。これらの貫通孔３０が交互にリブ１４間に形成される。これ以外の部分に関しては図１実施例の示す有孔管１０と同様であるため、説明は省略する。
【００３２】
このように、貫通孔３０の位置を互い違いに形成すると、管壁１６の剛性の弱い位置が集中しないので、図１に示す有孔管１０より管全体の強度を高くすることができる。
【００３３】
図５（Ａ）および図５（Ｂ）に示すこの発明の他の実施例である有孔管１０は図１に示す有孔管１０とほぼ同じであるが、貫通孔３２の配置が異なる。
【００３４】
図５（Ｂ）に示すように、有孔管１０の下部であって、管軸１２を通る鉛直線１８ａからのなす角δに２つの貫通孔３２ａおよび３２ｂを形成し、鉛直線１８ａ上の下側に１つの貫通孔３２ｃを形成する。これ以外の部分に関しては図１実施例の示す有孔管１０と同様であるため、説明は省略する。
【００３５】
このように、貫通孔３２を有孔管１０の下部に設けて、上部に設けなければ、浸透性を長期間維持することができる。すなわち、有孔管１０の上部に貫通孔があると、有孔管１０の上方にある土砂などがその貫通孔を通り抜けて有孔管１０の中に入り、有孔管１０の下部の貫通孔３２を詰まらせてしまったりする恐れがある。これに対して、図５実施例のように、赤道線１８ｂより下方の管壁１６だけに貫通孔３２を設けるようにすれば、上記貫通孔３２を通っての有孔管１０内への土砂の浸入が効果的に防止でき、したがって、有孔管１０の浸透性を長期間維持することができる。
【００３６】
図６（Ａ）および図６（Ｂ）に示すこの発明の他の実施例である有孔管１０は塩化ビニル樹脂など樹脂製である。有孔管１０の軸方向に伸びるリブ３４が管壁３６に形成される。このリブ３４は互いに独立していて、周方向に一定間隔で配置される。このため、リブ３４位置で管壁３６の剛性が高く、リブ３４間で剛性が低いため、管壁３６の剛性は周方向に不連続に変化する。
【００３７】
管軸１２を通る鉛直線１８ａに対してなす角ε、たとえば６０度の位置であって、リブ３４間の管壁３６に４つの貫通孔３８ａ、３８ｂ、３８ｃおよび３８ｄを形成する。貫通孔３８の径Ｅはリブ３４のピッチＦより小さい。
【００３８】
なお、管壁１６および３６の厚みの大きく剛性の高いリブ１４および３４を周方向または軸方向に設けたが、螺旋状、すなわち周方向および軸方向に設けてもよい。
【００３９】
また、有孔管１０の管壁１６および３６の厚みを大きくして管壁１６および３６の剛性を高めたが、管壁１６および３６の中または表面などに金属など剛性の高いものを入れてもよい。
【図面の簡単な説明】
【００４０】
【図１】（Ａ）はこの発明の一実施例の有孔管を示す平面図であり、（Ｂ）は図１（Ａ）の断面図である。
【図２】図１実施例の有孔管を埋設した状態を示す断面図である。
【図３】図２の部分拡大図である。
【図４】（Ａ）はこの発明の他の実施例の有孔管を示す平面図であり、（Ｂ）および（Ｃ）は図４（Ａ）の断面図である。
【図５】（Ａ）はこの発明の他の実施例の有孔管を示す平面図であり、（Ｂ）は図５（Ａ）の断面図である。
【図６】（Ａ）はこの発明の他の実施例の有孔管を示す平面図であり、（Ｂ）は図６（Ａ）の断面図である。
【符号の説明】
【００４１】
１０…有孔管
１４、３４…リブ
１６，３６…管壁
１８ｂ…赤道線
２０、３０、３２、３８…貫通孔
【図１】
2005207543.tif 000004
【図２】
2005207543.tif 000005
【図３】
2005207543.tif 000006
【図４】
2005207543.tif 000007
【図５】
2005207543.tif 000008
【図６】
2005207543.tif 000009